(57)【要約】本発明は、乗員室に出るハウジング（４）と、空気流をハウジング（４）中に吸い込み、かつ車両乗員室中に吹き込むファン（１８）と、ケース（４０）内に収納される支持体（４４）上に固定され、かつ香気を放出できる１種類または幾つかの種類のある量の芳香剤を内蔵するケース（４０）を具備する香気供給手段とから構成される車両暖房または空調装置に関する。ケース（４０）は、空気流が通過できる通路を有する拡散ゾーンを具備する。芳香剤の支持体（４４）は、拡散位置と、芳香剤蒸気に対して耐えられるバリアにより、芳香剤が拡散ゾーンから隔離される保管位置との間を移動自在である。【選択図】図１
2004511387.tif 000002
【特許請求の範囲】
【請求項１】
キャビン内に開放する上流側端部（６）と下流側端部（８）を有するユニット（４）と、空気流を、上流側端部を経てユニット（４）中に引き込み、かつユニット（４）の下流側端部を経てキャビン中に空気流を吹き出すファン（１８）と、ケーシング（５０）（８６）内に収容される支持体（４４）（７２）（８８）に固定され、かつ香気を放出できる１種類以上の芳香族剤の量を内蔵するケーシング（４０）を備える香気供給手段とを具備する、自動車両のキャビンを暖房または空調する装置であって、
そのケーシング（５０）（８６）は、芳香族剤を拡散するゾーンを有し、そのゾーンには、空気流（５６）（５８）がケーシングを通過できるように、少なくとも１つのオリフィス（４２）（９２）（９６）が貫通しており、芳香族剤の支持体（４４）（７２）（８８）を、１種類の芳香族剤または複数種類の芳香族剤の１つが拡散ゾーンに面する少なくとも１つの拡散位置と、および芳香族剤が、芳香族剤の香気に対して、不透過性であるバリヤ（５２）により拡散ゾーンから隔離される保管位置との間で移動できるようになっており、かつ車両のキャビン内に位置するオペレータが、その移動する支持体（４４）（７２）（８８）を、拡散位置と保管位置との間で移動させうる制御器（４４）を具備することを特徴とする装置。
【請求項２】
支持体（４４）は、平行移動できることを特徴とする、請求項１に記載される装置。
【請求項３】
ケーシングがチューブ（４０）から構成され、また移動支持体が、そのチューブ（４０）へ摺動自在に取付けられるロッド（４４）から構成され、少なくとも１種類の芳香族剤（５０）は、摺動ロッド（４４）上に取付けられ、また芳香族剤の蒸気に対して不透過性であるバリヤを形成する少なくとも１つの分離ディスク（５２）は、１種類の芳香族剤または複数種類の芳香族剤を拡散ゾーンから隔離するように、摺動ロッド（４４）上に設けられていることを特徴とする、請求項２に記載の装置。
【請求項４】
支持体（７２）は、回転移動できることを特徴とする、請求項１に記載の装置。
【請求項５】
回転支持体は、それぞれが１種類の芳香族剤（５０）を内蔵できる幾つかの角度的に離間したハウジングを具備するディスク（７２）であることを特徴とする、請求項４に記載の装置。
【請求項６】
前記回転支持体は、２つの対向するゾーンにおける貫通孔（１００）（１０２）を具備する円筒形体（８８）であり、縦軸（９０）の回りに回転できるようになっており、この円筒形体には、少なくとも１種類の芳香族剤の量が内蔵されることを特徴とし、かつケーシング（６）には、芳香族剤を拡散するゾーンを構成する少なくとも２つの直径方向に対向するオリフィス（９２）（９６）が設けられ、さらに回転支持体（８８）は、円筒形体の貫通孔がケーシングの拡散ゾーンに面する拡散位置と、円筒形体（８８）の貫通孔が拡散ゾーンから角度的に偏らされる保管位置との間で、角度的に移動できることを特徴とする、請求項５に記載の装置。
【請求項７】
装置は、エアフィルタ（８０）を具備し、かつケーシング（８６）は、エアフィルタ（８０）に組込まれていることを特徴とする、請求項６に記載の装置。
【請求項８】
芳香族剤は、中実カートリッジの形態であることを特徴とする、請求項１〜７のいずれかに記載の装置。
【請求項９】
車両の計器盤上に位置し、かつケーシング（４０）を組込むモジュール（６０）を備え、そのモジュールは、ファン（１８）の下流側に接続される空気入口ダクト（６４）により、かつ空気入口ダクト（６４）の下流側に接続される空気出口ダクト（６６）により、ユニット（４）に接続されていることを特徴とする、請求項１〜８のいずれかに記載の装置。
【請求項１０】
空気出口ダクト（６６）は、暖房装置のユニット（４）の混合ゾーン（３８）へ接続されていることを特徴とする、請求項９に記載の装置。
【請求項１１】
モジュール（６０）は、車両のドライバまたは乗員がアクセスできるアクセス孔（７０）を、その前部に備え、このアクセス孔（７０）により、芳香族剤のカートリッジ（５０）を交換できるようになっていることを特徴とする、請求項７〜１０のいずれかに記載の装置。
【請求項１２】
どの芳香族剤が選択されているかを表示する手段（１０８）（１１０）（１１４）を具備することを特徴とする、請求項１〜１１のいずれかに記載の装置。
【請求項１３】
エバポレータ（３０）をさらに具備し、かつ芳香族剤の支持体（４４）（７２）（８８）は、エバポレータの後に位置することを特徴とする、請求項１〜１２のいずれかに記載の装置。
【請求項１４】
ヒータマトリックス（３２）を具備し、かつ芳香族剤の支持体（４４）（７２）（８８）は、ヒータマトリックスの後に位置していることを特徴とする、請求項１３に記載の装置。
【請求項１５】
車両キャビンに開放する空気出口（１２）（１４）（１６）をさらに具備し、かつ芳香族剤の支持体（４４）（７２９（８８）は、車両中への空気出口の前に位置していることを特徴とする、請求項１３または１４に記載の装置。
【発明の詳細な説明】
【０００１】
（技術分野）
本発明は、自動車両のキャビンへ香気を供給する装置に関する。
【０００２】
（背景技術）
車両の内部には、密閉した空間が構成されている。夏と冬において、車両の窓を閉じ、かつキャビンの内部を、冷房または暖房するために、空調システムを使用するとときに、ドライバと乗員からの汗、およびキャビン内に蓄積され、かつ暖房ユニットと空調システムのダクト内に蓄積されるタバコの煙等により、不快な臭いが生じる。この臭いは、空調システムの外側、例えば排気ガスから、またはキャビンに使用されているプラスチックや接着剤からも由来することがある。
【０００３】
そのため、主な機能として、臭いを無くすか、または隠し、かつ他の効果として、例えば生理的効果などを提供する機能も有する装置を、車両に設けることが知られている。本発明は、このような種類の装置に関する。
【０００４】
具体的には本発明は、キャビン内に開放する上流端部と下流端部を有するユニットと、空気流を上流端部を経てユニット中に引き込み、かつユニットの下流端部を経てキャビン中に空気流を吹き出すファンと、ケーシング内に収納される支持体に固定され、かつ香気を放出できる１種類以上の芳香族剤の量を内蔵するケーシングを備える香気供給手段とを具備する、自動車両のキャビンを暖房または空調する装置に関し、そのケーシングは、芳香族剤を拡散するゾーンを有し、そのゾーンには、空気流がケーシングを通過できるように、少なくとも１つのオリフィスが貫通している。
【０００５】
ここで用いる芳香族剤とは、香気として一般に知られる芳香族蒸気を放出できる、芳香をしみこませた物質を指すものとする。
【０００６】
この型式の香気供給装置は、既に知られている。日本国特許公開第５８−８１８１７号には、暖房と空調装置のユニットの分岐部に位置する蒸発性芳香族剤を内蔵するカセットを具備する香気供給装置が記載されている。
【０００７】
米国特許第５，４２９，１８０および同第５，２９７，９８８号には、ユニット内の芳香族剤の流量を制御する論理回路を具備する、車両のキャビンへ香気を供給する装置が記載されている。
【０００８】
これらの公知の装置は、製造および使用が複雑であるという欠点を有する。
【０００９】
本発明は、これらの欠点を無くすもので、製造および使用が簡単である、香気供給手段を具備するキャビン暖房および空調装置を提供するものである。
【００１０】
（発明の開示）
この目的のために、１種類の芳香族剤または複数種類の芳香族剤の支持体を、１種類の芳香族剤または複数種類の芳香族剤の１つが、拡散ゾーンに面する少なくとも１つの拡散位置と、芳香族剤が、香気に対して不透過性であるバリヤにより、拡散ゾーンから隔離される保管位置との間を移動でき、かつ、車両のキャビン内に位置するオペレータが、その移動する支持体を、拡散位置と保管位置との間で移動させうる制御器を具備している。
【００１１】
そのため本発明の香気供給装置は、製造が簡単である。この装置は、論理制御回路を除き、機械部品だけで構成されている。さらに、使用が簡単で、回転ノズル、スライドスイッチ、または押しボタンを使用して、計器盤から手動で、装置のオンとオフを切換えできる。
【００１２】
同じ要領で、装置が幾つかの種類の芳香族剤を備えている場合、芳香族剤を、同一の回転ノズル、スライドスイッチ、または押しボタンを使用して選択できる。
【００１３】
１つの別の形態の実施例によれば、支持体は、平行移動できる。１つのある実施例においては、ケーシングがチューブから構成され、また移動支持体は、そのチューブへ摺動自在に取付けられるロッドから構成され、少なくとも１種類の芳香族剤は、摺動ロッド上に取付けられ、また芳香族剤の蒸気に対して不透過性であるバリヤを形成する少なくとも１つの分離ディスクは、１種類の芳香族剤、または複数種類の芳香族剤を、拡散ゾーンから隔離するように摺動ロッド上に設けられている。
【００１４】
別の形態の実施例においては、支持体は、回転移動できる。１つのある実施例においては、その回転支持体は、それぞれが１種類の芳香族剤を内蔵できる幾つかの角度的に離間したハウジングを具備するディスクである。
【００１５】
他の別の形態の実施例においては、回転支持体は、２つの対向するゾーンにおける貫通孔を具備する円筒形体であり、縦軸の回りに回転できるように取付けられ、この円筒形体には、少なくとも１種類の芳香族剤の量が内蔵され、またケーシングには、芳香族剤を拡散するゾーンを構成する少なくとも２つの直径方向に対向するオリフィスが設けられ、さらに回転支持体は、円筒形体の貫通孔がケーシングの拡散ゾーンに面する拡散位置と、円筒形体の貫通孔が拡散ゾーンから角度的に偏らされる保管位置との間を、角度的に移動できる。
【００１６】
暖房または空調ユニットは、エアフィルタを具備することが多く、そのフィルタにより、車両の外部から引き入れられる外気がフィルタされる。このような場合には、ケーシングにエアフィルタを組込むのがよい。
【００１７】
それぞれの芳香族剤は、取扱いが一層容易なように、中実カートリッジの形態であるのがよい。
【００１８】
１つの特定の実施例においては、この装置には、車両の計器盤上に位置し、かつケーシングを組込むモジュールが設けられ、そのモジュールは、ファンの下流側に接続される空気入口ダクトにより、かつ空気入口ダクトの下流側に接続される空気出口ダクトにより、ユニットに接続されている。空気出口ダクトは、暖房または空調装置のユニットの混合ゾーンへ接続されているのが好ましい。
【００１９】
またモジュールに、車両のドライバまたは乗員がアクセスできるアクセス孔を、その前部に設け、このアクセス孔により、芳香族剤の１つのカートリッジまたは複数のカートリッジを交換できるようにするのが好ましい。
【００２０】
本発明の他の特徴によれば、どの芳香族剤が選択されているかを示す手段が設けられている。
【００２１】
（発明を実施するための最良の形態）
本発明の上記以外の特徴と利点は、添付図面を参照して行う幾つかの代表的な実施例についての説明を読めば明らかになると思う。
【００２２】
図１において、暖房装置のユニット４は、空気入口開口部８を備える上流側端部６と、車両キャビンに開放する３つの出口、すなわちそれぞれ、フロントガラスの曇りを防止する空気出口１２、キャビンを換気または暖房する空気出口１４、およびドライバと乗員の足を暖める出口１６を備える下流側端部１０とを具備している。
【００２３】
電気モータ（図示されない）により駆動されるファン１８により、入口８を通して空気が引き入れられ、ユニット内に空気流が生じる。シャッター２２、２４および２６は、それぞれ、空気出口１２、１４および１６を通過する空気の量を調節しうる。
【００２４】
空調回路の一部を形成するエバポレータ３０が、ファン１８の直ぐ下流側のヒータユニット４に取付けられている。空気流は、エバポレータ３０を横断通過するときに冷却される。
【００２５】
自動車両（図示されない）の冷却回路に組込まれるヒータマトリックス３２も、ヒータユニット４に取付けられている。そのユニットを通過する空気流は、ヒータマトリックス３２を横断通過するときに加熱される。マトリックス３２は、ヒータマトリックス３２をバイパスするバイパス通路３４が形成されるように、ユニット４に取付けられる。
【００２６】
空気混合シャッター３６が、ヒータマトリックス３２の上流側に設けられている。このシャッターは、バイパス通路３４へ開放し、かつ空気流がヒータマトリックス３２を横断通過するのを妨げる、実線で示される位置と、空気が加熱されるように、空気流がバイパス通路３４を通過するのを妨げ、かつ空気流をこのマトリックスを強制的に横断通過させる、鎖線で示される位置との間を移動できる。
【００２７】
中間位置において、マトリックス３２を横断通過する空気流と、バイパス通路３４を通過する空気流との間の比が、高温空気流と低温空気流が混合ゾーン３８で混合するときに、空気温度を調節するようにシャッター３６が開放される開度により調節される。
【００２８】
代わりに、「水上で混合」型式の装置を使用することが可能である。この場合、ヒータマトリックスを通過する冷却液体の流量を調節できるので、マトリックスを出る空気流の温度を調節できる。
【００２９】
細長い円筒形体の全体形態を有するケーシング４０が、ヒータユニット４の壁部４１を通過している。ケーシング４０は、混合ゾーン３８内側に位置する部分、およびユニット４の外側に位置する部分を具備している。混合ゾーン内に位置するケーシング４０の部分には、オリフィス４２が貫設されて、拡散ゾーンを形成している。ユニットの外側には、制御手段を構成するロッド４４がある。
【００３０】
代わりの形態として、ケーシング４０を、壁部４１内に完全に収容し、かつ外部ロッド４４上に取付けできる。
【００３１】
図２は、壁部４１上に取付けられたケーシング４０の拡大図である。ケーシング４０は、その両端部に位置する２つの軸受４６に摺動自在に取付けられている、ケーシングを一直線に通過するロッド４４を有する。
【００３２】
芳香族剤または香料の幾つかのカートリッジ、図示の代表的な実施例においては、３つのカートリッジが、ロッド４４上に取付けられている。カートリッジ無しの場所が、保管位置またはオフ位置を形成するように設けられている。しかし、香料の第４のカートリッジを、上述の空の空間場所へ追加することにより、このオフ位置を省略できる。
【００３３】
それぞれのカートリッジ５０は、ロッド４４上にも取付けられ、かつケーシング４０の内部円筒形壁との封止された摺動接続部を形成する２つのディスク５２間に設けられる。
【００３４】
芳香族剤のカートリッジ５０の数は、香料の数と同じとすることができる。また代わりに、１つのカートリッジを使い切ったときに、他のカートリッジと交換できるように、それぞれの香料を２つのカートリッジに設けてもよい。同一の香料の幾つかのカートリッジを設けることも考えられる。
【００３５】
ロッド４４は、制御手段（図示されない）を使用して、矢印で５４で示すように、平行に前後に移動できる。ロッド４４が移動すると、貫通孔４２に面する芳香族剤のカートリッジの１つを、ケーシングの拡散ゾーンに置くこととなる。この拡散ゾーンの外側には、ケーシング４０は開口部はない。
【００３６】
図２に示すように、芳香族剤のカートリッジ５０を拡散ゾーン内に置くと、芳香族剤のカートリッジの両側に位置する２つのディスク５２は、芳香族剤の香気に対して不透過性である気密チャンバを形成する。
【００３７】
ケーシングを、ヒータユニット４のファン１８による空気流の通路内に置くと、矢印５６により概略示するように、空気は、貫通孔４２を経て、２つのディスク５２の間に形成されるチャンバを横断して、芳香族剤の蒸気を搬送する。ついで空気は、矢印５８により示すように、ケーシングの反対側を通って出て、空気出口１２、１４および１６（図１参照）の１つを経て、キャビンに流入する。かくして車両キャビンへ、香気が供給される。
【００３８】
香気は、ロッド４４を単に動かすことにより容易に変更され、それにより、他の芳香族剤を、ケーシングの拡散ゾーンの貫通孔４２に対向させることができる。芳香族剤のカートリッジを拡散ゾーンに置かないで、香気を拡散さえないことも可能である。
【００３９】
図３は、図１と図２を参照して説明したものと同様な、本発明に従う装置の別の形態の実施例を示す。同一の構成部材は、同一の符号により示してある。
【００４０】
この別の形態は、車両の計器盤に取付けられ、かつドライバと乗員がアクセスできるモジュール６０を具備する点で、上述のものと異なっている。香気のカートリッジを内蔵するケーシング（図示していない）が、計器盤の前面の丁度背後で、モジュール６０の内側に配置されている。
【００４１】
空気入口ダクト６４が、ヒータユニット４の部分をケーシングへ接続し、一方、空気出口ダクト６６が、その部分の下流側に位置するユニットの部分へ、このケーシングを接続している。モジュール６０を、再充填のためにアクセスできる他の場所、例えば計器盤の下に設けることができる。
【００４２】
上述の代表的な実施例において、空気入口ダクト６４は、ファン１８の直後で、かつエバポレータ３０の上流側で、ユニット４へ接続されている。空気出口ダクト６６は、混合ゾーン３８で開放している。かくして、ダクト６４と６６は、暖房と空調の主回路へのバイパスを形成している。
【００４３】
ファン１８による動きで設定される空気流の一部は、このバイパスを通過し、ケーシングの拡散ゾーンに置かれている芳香族剤の香気を搬送する。この空気は、上述のように、３つの空気出口１２、１４および１６の１つを経てキャビンに入る前に、混合ゾーン３８まで移送される。
【００４４】
別の形態の実施例として、空気出口ダクト６６を、換気空気出口１４へ直接接続してもよい。
【００４５】
この実施例は、芳香族剤の香気を含有する空気がエバポレータを通過しないので、好都合である。空気流がエバポレータを通過するとき、蒸気の一部は、その冷却のために凝縮液を含有する。この凝縮により生じる液体は、車両の外部へ排出される。
【００４６】
芳香族剤を含有する空気がエバポレータを通過すると、空気の一部は、純粋な損失として外部に排出されることなる。エバポレータの表面に捕捉された香気は、香気供給装置がオフへ切換えられるときでも、感知される残留香気を生じることがある。
【００４７】
図３に示す代表的な実施例においては、芳香族剤のカートリッジの支持体は、回転移動できるように取付けられている。計器盤上でアクセスできるノブ６２が、香気の移動支持体の回転スピンドル上に直接取付けられている。車両のドライバまたは乗員は、単にノブを回すことにより、利用できる香気のカートリッジの１つ、または先のカートリッジを使い切ったときに再充填用カートリッジを選択できるか、もしくは代わりに、カートリッジを選択することなく、香気供給装置をオフへ切換えることもできる。
【００４８】
モジュール６０には、アクセス孔７０が設けられ、それにより、香気のカートリッジを、車両キャビンから容易に交換できる。必要なことは、交換されるカートリッジを、アクセス孔７０に面するよう、回転ノブ６２を回し、そのカートリッジを引き出し、ついで、新しいカートリッジを挿入するだけである。
【００４９】
図４ａおよび図４ｂは、芳香族剤のカートリッジ５０の支持体の正面図と立面図である。この支持体７２は、厚いディスクの形態を有し、香気の幾つかのカートリッジを収容する角度的に離間する円形ハウジングが設けられている。それらの収納場所の１つには、香気供給装置をオフへ切換えることができるように、カートリッジは収容されていない。
【００５０】
支持体７２は、鎖線で示される軸の回りに、矢印７６で略示するように、回転移動できる。空気流は、図３を参照して上述したように、空気移送ダクト６４を経て、この厚いディスクを横断して芳香族剤の香気を搬送し、ついで、空気出口ダクト６６を通して再び出る。
【００５１】
図５および図６は、本発明の第３の別の形態の実施例を示す。一般に、ヒータユニットに引き込まれる空気は、外部環境から流入し、したがってダストと粒子を含有するので、フィルタされる。この空気は、プラスチックまたは金属８４から成る支持体内に配置された、合成繊維またはセルロース繊維から成る不織媒体８２から構成されるダストフィルタを通過する。
【００５２】
本発明によれば、香気供給装置は、このフィルタに組込まれている。この装置は、２つの同軸の円筒形体、すなわち固定された第１の円筒形体８６、および軸９０（図６参照）の回りに、円筒形体８６の内部で回ることができるように取付けられる第２の円筒形体８８を具備している。
【００５３】
円筒形体８６には、矢印９４により略示するように、空気流入口側に位置する１つ以上の開口９２が設けられている。この円筒形体には、矢印９８により略示するように、空気流が流出できるように、その１つ以上の開口９２に対して、直径方向に対向する１つ以上の開口９６が設けられている。
【００５４】
移動円筒形体８８は、貫通孔１００が設けられる第１のゾーン、および貫通孔１０２が設けられる、第１のゾーンに対して直径方向に対向する第２のゾーンを具備している。円筒形体８８の内部には、例えばビーズまたはマイクロカプセル１０４の形態である芳香族剤が収容されている。
【００５５】
円筒形体８８が、図６に示される角位置にあるとき、空気は、貫通孔１００を経て流入し、円筒形体８８を横断し、ビーズまたはマイクロカプセル１０４を循環し、ついで、直径方向反対側にある貫通孔１０２を経て再び出て、固定円筒形体８６の開口９６を通過する。
【００５６】
前述のように空気流は、ビーズまたはマイクロカプセル１０４により放出される芳香族剤の香気を搬送する。
【００５７】
円筒形体８８を、貫通孔１００と１０２が、開口部を有しない固定円筒形体８６のゾーンに面するように、かつ貫通されたゾーン１００と１０２との間に位置する移動円筒形体８６上の２つのゾーンが開口９２と９６へ面するように、角度的に９０°回すことができる。円筒形体８８を、単一の香気の場合に香気の強さを変えるように、または２つまたは３つの香気の間で選択するように、６０°または４５°回すこともできる。
【００５８】
かくして、円筒形体８８に内蔵される芳香族剤は、空気流から密閉隔離され、また香気供給装置は、オフへ切換えられる。フィルタの支持体８４上に取付けられるギヤモータユニット１０６により、移動円筒形体８８を、これらの２つの位置の間で回すことができる。
【００５９】
この別の形態の実施例において、１種類の香気だけが利用できること、および唯一の可能な調整は、装置をオンまたはオフに切換えることであることが分る。ギヤモータユニット１０６は、車両計器盤から電気的に制御される。
【００６０】
本発明によれば、芳香族剤の支持体４４、７２または８８が、エバポレータ３０の後、ヒータマトリックス３２の後、および車両のキャビンに開放する空気出口１２、１４と１６の前に位置しているのが好都合である。
【００６１】
図７の実施例の形態においては、支持体７２は、図４ａおよび図４ｂのものと同様である。この支持体は、ディスクの形態であり、香気カートリッジを収容する円形ハウジングが設けられている。
【００６２】
この支持体を、車両の計器盤（図示されない）からアクセスできるノブ１０６により回すことができる。この計器盤は、使用される芳香族剤を識別する符号１１０（例えば色の斑点）を見ることができる透明窓１０８を具備する。さらに計器盤は、使用済みカートリッジを交換できるアクセスハッチ１１２を有する。
【００６３】
かくして、どの芳香族剤が使用されているかを示す符号を直接表示できる。
【００６４】
図８は、上述の実施例の別の形態を示し、それとの相違は、窓１０８が、カートリッジ交換用のアクセスハッチとしても機能する点である。そのため、図７の窓１１２は、全くかつ簡単に省略される。
【００６５】
幾つかの例において、カートリッジを、計器盤の直後に置かないで、遠隔的な表示と認識手段が設けられる。
【００６６】
例えば、一定の芳香族剤に対応するハウジングを設けることができ、そのカートリッジは、例えば偏光手段を使用して認識される。
【００６７】
図９の実施例において、香気のカートリッジの認識は、電気的連続性により、カートリッジの接点１１８を認識する接触ライン１１６を有する検出器１１４を具備する電子手段を通してなされる。
【００６８】
図１０の場合に、検出器１１４は、香気のカートリッジの２つの接点１２２と協働できる２つの接点１２０を具備する。
【００６９】
選択された芳香族剤の種類を認識および表示する他の型式の手段を考えることもできる。
【００７０】
本発明の芳香族剤は、適当な支持体上に含浸された液体香気でもよく、その支持体は、白亜、粘土、紙、吸取紙、織布と不織布、香壺香袋、プラスチックビーズ（例えばポリエチレン／ポリプロピレン配合物から形成される）、および木製ビーズまたはガラスビーズなどから、好適に選択される。
【００７１】
代案として、芳香族剤を、構成成分の手段として、ゲル、マイクロカプセル、粉末、プラスチックから成るエレンメントなどのような支持体で混合できる。
【００７２】
芳香族剤の化学的特性は、車両に香気を与える所望の目的に左右される。特に下記の効果の少なくとも１つを生じることができる。
【００７３】
生理的効果：気持ちを静め、気持ちを和らげ、気持ちを正常にするなど。
例：さわやかな臭い（レモン様香気のある、レモンの香りがする）、またはテンペルの臭い（樟脳、ハッカ脳）。
【００７４】
イメージ的効果：車両の型式と車両のスタイルの嗅覚のサイン（豪華さ、軽快さ、家族向き、など）。
例：力強い木材の臭い（ベチベリルアセテート、アンブロクサン）、またはおだやかな陽気な臭い（ベンジルベンゾエート、バニリン、クマリン、トランス−アネトール）、または果物に似た臭い（ウンデカノン、レモンの香り）。
【００７５】
流行的効果：最新の上等の香料または高級な香料に使用される香気と共になされる。
【００７６】
個人的効果：個人の好みに適した広い香気を使用者へ提供する。
【００７７】
（産業上の利用可能性）
かくして、本発明によると、香気供給手段を具備する暖房と空調装置が提供され、その手段は、製造、組込み、および使用が簡単であり、また幾つかの形態において、容易に選択できる幾つかの種類の香気または芳香を有する。
【図面の簡単な説明】
【図１】
本発明に従う暖房または空調装置の全体概略図である。
【図２】
図１に具体的に示される装置の香気供給手段の詳細図である。
【図３】
本発明の別の形態の実施例の、図１と同様の全体概略図である。
【図４】
ａは、図３に具体的に示される別の形態の実施例に使用できるディスクの形態での移動支持体の正面図、ｂは、図３に具体的に示される別の形態の実施例に使用できるディスクの形態での移動支持体の立面図である。
【図５】
芳香族剤を内蔵する移動円筒形体を組込むエアフィルタの図である。
【図６】
図５に具体的に示される円筒形体の拡大尺度での断面図である。
【図７】
どの芳香族剤が選択されているかを表示または識別する種々の手段を具体的に示す図である。
【図８】
どの芳香族剤が選択されているかを表示または識別する種々の手段を具体的に示す図である。
【図９】
どの芳香族剤が選択されているかを表示または識別する種々の手段を具体的に示す図である。
【図１０】
どの芳香族剤が選択されているかを表示または識別する種々の手段を具体的に示す図である。
【符号の説明】
４　　ユニット
６　　上流側端部
８　　下流側端部
１２、１４、１６　空気出口
１８　ファン
３０　エバポレータ
３２　ヒータマトリックス
３４　バイパス通路
３６　空気混合シャッター
３８　混合ゾーン
４０　ケーシング
４２　オリフィス
４４　ロッド
４６　軸受
５０　カートリッジ
５２　ディスク
６０　モジュール
６４　空気入口ダクト
６６　空気出口ダクト
７０　アクセス孔
７２　支持体
８２　不織媒体
８４　金属
８６　第１の円筒体
８８　第２の円筒体
９０　軸
９２　開口
９４　矢印
９６　開口
９８　矢印
１００、１０２　貫通孔
１０４　マイクロカプセル
１０６　ギアモータユニット
１０８　透明窓
１１２　アクセスハッチ
１１４　検出器
１１６　接触ライン
１１８、１２０，１２２　接点
【国際公開パンフレット】
2004511387.tif 000003
2004511387.tif 000004
2004511387.tif 000005
2004511387.tif 000006
2004511387.tif 000007
2004511387.tif 000008
2004511387.tif 000009
2004511387.tif 000010
2004511387.tif 000011
2004511387.tif 000012
2004511387.tif 000013
2004511387.tif 000014
2004511387.tif 000015
2004511387.tif 000016
2004511387.tif 000017
2004511387.tif 000018
2004511387.tif 000019
2004511387.tif 000020
2004511387.tif 000021
2004511387.tif 000022
2004511387.tif 000023
2004511387.tif 000024
2004511387.tif 000025
【国際調査報告】
2004511387.tif 000026
2004511387.tif 000027
2004511387.tif 000028
2004511387.tif 000029
2004511387.tif 000030
2004511387.tif 000031